(57)【要約】【課題】可動操作部の操作に基づいて電気的に駆動される湯水混合バルブの給湯管の閉鎖を確実に行うことができる水栓装置を提供する。【解決手段】水栓装置(1)は、可動操作部(10)の回転方向位置をリアルタイムで検知する操作検知部(40)と、検知された回転方向位置に基づいて湯水混合バルブ(16)の混合割合設定値を決定する設定値決定部(44)と、混合割合設定値に対応して湯水混合バルブ(16)を駆動する駆動部(16a)を有する。可動操作部(10)を給湯管閉鎖位置から、湯の混合割合を増大させるように回転させて、使用温度位置で停止させ、次いで、湯の混合割合を減少させるように回転させた後、可動操作部(10)が給湯管閉鎖位置に戻る手前の給湯管強制閉鎖位置に到達したとき、設定値決定部(44)は、湯水混合バルブ(16)の給湯管を閉鎖するように、湯水混合バルブ(16)の混合割合設定値を決定する。【選択図】図２
2010084325.tif 000002
【特許請求の範囲】
【請求項１】
吐水温度を設定するための可動操作部と、可動操作部の設定に基づいて電気的に駆動される湯水混合バルブと、を備え、湯水混合バルブは、給湯管から流入する湯と給水管から流入する水の混合割合を調整可能である、水栓装置であって、
前記可動操作部を、前記給湯管から流入する湯の混合割合が零である給湯管閉鎖位置から、湯の混合割合を増大させるように移動又は回転させたとき、前記給湯管閉鎖位置からの移動距離又は回転角度をリアルタイムで検知し、その移動距離又は回転角度に対応する設定吐水温度をリアルタイムで決定する操作検知部と、
検知された前記移動距離又は回転角度が大きくなるに従って、湯の混合割合が増大するように、前記湯水混合バルブの混合割合設定値を決定する設定値決定部と、
前記混合割合設定値に対応して前記湯水混合バルブを駆動する駆動部と、を有し、
前記可動操作部を前記給湯管閉鎖位置から、吐水温度を上昇させるために湯の混合割合を増大させるように移動又は回転させ、使用温度位置で停止させ、次いで、吐水温度を下降させるために湯の混合割合を減少させるように移動又は回転させた後、前記可動操作部が前記給湯管閉鎖位置に戻る手前の給湯管強制閉鎖位置に到達したとき、前記設定値決定部は、前記給湯管から流入する湯の混合割合が零になるように前記湯水混合バルブの混合割合設定値を決定することを特徴とする水栓装置。
【請求項２】
更に、前記給水管内の水温を検知する水温センサを有し、
前記給湯管強制閉鎖位置は、前記操作検知部によって決定された設定吐水温度と前記水温センサによって検知された水温の差が予め決められた一定の値になったときの前記可動操作部の位置である、請求項１に記載の水栓装置。
【請求項３】
更に、前記給水管内の水温を検知する水温センサを有し、
前記給湯管強制閉鎖位置は、前記使用温度位置に対応する設定吐水温度から予め決められた一定の温度を差し引いた温度に対応する前記可動操作部の位置である、請求項１に記載の水栓装置。
【請求項４】
更に、前記給水管内の温度を検知する水温センサを有し、
前記給湯管強制閉鎖位置は、前記操作検知部によって決定された設定吐水温度と前記水温センサによって検知された水温との差が、前記可動操作部が前記使用温度位置にあるときの前記設定吐水温度と前記水温センサによって検知された水温との差に対して予め決められた一定の割合の値になったときの前記可動操作部の位置である、請求項１に記載の水栓装置。
【請求項５】
前記給湯管強制閉鎖位置は、前記給湯管閉鎖位置から予め決められた一定の移動距離又は回転角度のところの位置である、請求項１に記載の水栓装置。
【請求項６】
前記給湯管強制閉鎖位置は、前記使用温度位置から予め決められた一定の移動距離又は回転角度を差し引いた位置である、請求項１に記載の水栓装置。
【請求項７】
前記給湯管強制閉鎖位置は、前記給湯管閉鎖位置から前記使用温度位置までの移動距離又は回転角度に対する予め決められた一定の割合の距離又は角度だけ、前記可動操作部を前記給湯管閉鎖位置から移動又は回転させた位置である、請求項１に記載の水栓装置。
【請求項８】
前記可動操作部が前記給湯管強制閉鎖位置に到達したときに、前記使用温度位置からの移動距離又は回転角度が予め決められた一定の距離又は角度よりも小さいとき、前記設定値決定部は、前記給湯管から流入する湯の混合割合が零になるように前記湯水混合バルブの混合割合設定値を決定することを取りやめる、請求項１〜７の何れか１項に記載の水栓装置。
【請求項９】
前記可動操作部が前記給湯管強制閉鎖位置に到達したときに、前記可動操作部が前記使用温度位置にあるときの前記設定吐水温度から前記給湯管強制閉鎖位置まで移動したときの前記設定吐水温度との差が予め決められた量よりも小さいとき、前記設定値決定部は、前記給湯管から流入する湯の混合割合が零になるように前記湯水混合バルブの混合割合設定値を決定することを取りやめる、請求項１〜７の何れか１項に記載の水栓装置。
【発明の詳細な説明】
【技術分野】
【０００１】
本発明は、水栓装置に関し、更に詳細には、吐水温度を調整するための可動操作部と、可動操作部の操作に基づいて電気的に駆動される湯水混合バルブと、を備えた水栓装置に関する。
【背景技術】
【０００２】
水栓装置から吐水される温度を設定するために、操作部のアナログ式の操作に基づいて、湯水混合バルブを電気的に駆動させる水栓装置、いわゆる電子水栓が知られている（特許文献１参照）。
【０００３】
かかる水栓装置において、湯水混合バルブの給湯管から流入する湯の流量が零である給湯管閉鎖位置からの操作部の操作量が大きくなるに従って、湯水混合バルブの給湯管から流入する湯の混合割合が増大して吐水温度が上昇する。また、操作部の給湯管閉鎖位置からの操作量が小さくなるに従って、湯水混合バルブの給湯管から流入する湯の混合割合が減少して吐水温度が下降する。
【０００４】
【特許文献１】特開２００７−３３２６７５号公報
【発明の開示】
【発明が解決しようとする課題】
【０００５】
上記水栓装置において、操作部を給湯管閉鎖位置に向って操作して、湯水混合バルブの給湯管から流入する湯の流量を減少させて吐水温度を下降させ、水だけを吐水させようとするとき、操作部が給湯管閉鎖位置に達する前に、湯水混合バルブの給湯管から流入する湯の流量が少なり、吐水温度が水の温度に近くなるため、使用者が操作部を給湯管閉鎖位置まで操作したものと勘違いすることがある。この状態では、湯水混合バルブの給湯管は完全に閉鎖されず、給湯管から僅かずつ湯が流入するおそれがある。
【０００６】
そこで、本発明は、可動操作部の操作に基づいて電気的に駆動される湯水混合バルブの給湯管の閉鎖を確実に行うことができる水栓装置を提供することを目的としている。
【課題を解決するための手段】
【０００７】
上記目的を達成するために、本発明による水栓装置は、吐水温度を設定するための可動操作部と、可動操作部の設定に基づいて電気的に駆動される湯水混合バルブと、を備え、湯水混合バルブは、給湯管から流入する湯と給水管から流入する水の混合割合を調整可能である、水栓装置であって、可動操作部を、給湯管から流入する湯の混合割合が零である給湯管閉鎖位置から、湯の混合割合を増大させるように移動又は回転させたとき、給湯管閉鎖位置からの移動距離又は回転角度をリアルタイムで検知し、その移動距離又は回転角度に対応する設定温度をリアルタイムで決定する操作検知部と、検知された移動距離又は回転角度が大きくなるに従って、湯の混合割合が増大するように、湯水混合バルブの混合割合設定値を決定する設定値決定部と、混合割合設定値に対応して湯水混合バルブを駆動する駆動部と、を有し、可動操作部を給湯管閉鎖位置から、吐水温度を上昇させるために湯の混合割合を増大させるように移動又は回転させ、使用温度位置で停止させ、次いで、吐水温度を下降させるために湯の混合割合を減少させるように移動又は回転させた後、可動操作部が給湯管閉鎖位置に戻る手前の給湯管強制閉鎖位置に到達したとき、設定値決定部は、給湯管から流入する湯の混合割合が零になるように湯水混合バルブの混合割合設定値を決定することを特徴としている。
【０００８】
このように構成された本発明の水栓装置では、可動操作部を給湯管閉鎖位置から、吐水温度を上昇させるために湯の混合割合を増大させるように移動又は回転させ、使用温度位置で停止させ、次いで、吐水温度を下降させるために湯の混合割合を減少させるように移動又は回転させた後、可動操作部が給湯管閉鎖位置に戻る手前の給湯管強制閉鎖位置に到達したとき、給湯管から流入する湯の混合割合が零になるように湯水混合バルブの混合割合設定値を決定するので、可動操作部が給湯管閉鎖位置に到達していなくても、給湯管の閉鎖を確実に行うことができる。なお、本発明における給湯管強制閉鎖位置は、湯水供給バルブの制御限界にある位置を指すのではなく、湯の混合割合を変化させるように制御可能な位置を指す。
【０００９】
本発明による水栓装置の実施形態において、好ましくは、更に、給水管内の温度を検知する水温センサを有し、給湯管強制閉鎖位置は、操作検知部によって決定された設定吐水温度と水温センサによって検知された水温の差が予め決められた一定の値になったときの可動操作部の位置であってもよいし、使用温度位置に対応する設定吐水温度から予め決められた一定の温度を差し引いた温度に対応する可動操作部の位置であってもよいし、操作検知部によって決定された設定吐水温度と水温センサによって検知された水温との差が、可動操作部が使用温度位置にあるときの設定吐水温度と水温センサによって検知された水温との差に対して予め決められた一定の割合の値になったときの可動操作部の位置であってもよい。
【００１０】
また、本発明による水栓装置の実施形態において、好ましくは、給湯管強制閉鎖位置は、給湯管閉鎖位置から予め決められた一定の移動距離又は回転角度のところの位置であってもよいし、使用温度位置から予め決められた一定の移動距離又は回転角度を差し引いた位置であってもよいし、給湯管閉鎖位置から使用温度位置までの移動距離又は回転角度に対する予め決められた一定の割合の距離又は角度だけ、可動操作部を給湯管閉鎖位置から移動又は回転させた位置であってもよい。
【００１１】
また、本発明による水栓装置の実施形態において、好ましくは、可動操作部が給湯管強制閉鎖位置に到達したときに、使用温度位置からの移動距離又は回転角度が予め決められた一定の距離又は角度よりも小さいとき、設定値決定部は、給湯管から流入する湯の混合割合が零になるように湯水混合バルブの混合割合設定値を決定することを取りやめる。また、好ましくは、可動操作部が給湯管強制閉鎖位置に到達したときに、可動操作部が使用温度位置にあるときの設定吐水温度から給湯管強制閉鎖位置まで移動したときの設定吐水温度との差が予め決められた量よりも小さいとき、設定値決定部は、給湯管から流入する湯の混合割合が零になるように湯水混合バルブの混合割合設定値を決定することを取りやめる。
【００１２】
このように構成された水栓装置では、使用温度位置からの移動距離又は回転角度が予め決められた一定の距離又は角度よりも小さいとき、又は、可動操作部が使用温度位置にあるときの設定温度から給湯管強制閉鎖位置まで移動したときの設定温度の差が予め決められた量よりも小さいとき、使用者が水だけを吐水させることを望んでいないと推定し、給湯管からの湯の流入を停止させない。従って、使用者は、そのまま、吐水温度を調整することができる。
【発明の効果】
【００１３】
以上説明したように、本発明による水栓装置によれば、可動操作部の操作に基づいて電気的に駆動される湯水混合バルブの給湯管の閉鎖を確実に行うことができる。
【発明を実施するための最良の形態】
【００１４】
次に、添付図面を参照して、本発明の例示の実施形態を説明する。
【００１５】
図１は、水栓装置の概略図である。図２は、水栓装置の水栓機能部の概略図である。図３は、水栓装置の可動操作部の断面図である。
【００１６】
図１に示すように、本発明による水栓装置１は、洗面ボウル２が配置された洗面カウンタ４と、洗面ボウル２に吐水するように設けられた吐水口６ａを有する水栓本体６と、洗面ボウル２のそばの洗面カウンタ４に設けられた２つの可動操作部８、１０と、洗面カウンタ４の下側に配置された水栓機能部１２（図２参照）とを有している。一方の可動操作部８は、水栓本体６の吐水口６ａからの吐水、止水の切替え及び吐水流量の調整を行うためのものであり、他方の可動操作部１０は、吐水温度の調整を行うためのものである。
【００１７】
図２に示すように、水栓機能部１２は、給湯管１４ａ及び給水管１４ｂに接続された湯水混合バルブ１６と、湯水混合バルブ１６と吐水口６ａとの間に接続された流量調整バルブ１８と、水栓機能部１２を制御する制御部２０を有している。
【００１８】
制御部２０は、可動操作部８、１０等からの信号を入力するための入力インターフェイス、制御プログラム及び制御データ等を記憶するメモリ、制御プログラムを実行するマイクロプロセッサ、湯水混合バルブ１６及び流量調整バルブ１８等に信号を出力する出力インターフェイス（以上、図示せず）を有している。
【００１９】
湯水混合バルブ１６の弁体（図示せず）は、モータ１６ａに連結され、吐水温度設定用の可動操作部１０の操作に基づいて制御部２０によって電気的に駆動される。モータ１６ａを制御して、弁体の位置を変え、給湯管１４ａから流入する湯量と給水管１４ｂから流入する水量の混合割合を変えることにより、吐水温度を変化させることが可能である。制御部２０に接続された温度センサ２２を、湯水混合バルブ１６と流量調整バルブ１８との間に設け、制御部２０が、温度センサ２２からの信号に基づいて吐水温度のフィードバック制御を行うことが好ましい。また、給水管１４ｂ内の水温を検知する水温センサ２３が給水管１４ｂに設けられ且つ制御部２０に接続されることが好ましい。
【００２０】
流量調整バルブ１８の弁体（図示せず）は、モータ１８ａに連結され、吐水流量調整用の可動操作部８の操作に基づいて制御部２０よって電気的に駆動される。モータ１８ａを制御して、弁体の位置を変えることにより、吐水流量を変化させることが可能である。
【００２１】
可動操作部８、１０は同じ構造を有している。図３に示すように、各可動操作部８、１０は、洗面カウンタ４を上下方向に貫通し且つ洗面カウンタ４に固定された中空筒状の操作部本体２６と、操作部本体２６を上側から覆うように且つ操作部本体２６に対して回転移動可能に取付けられた円筒状の操作ハンドル２８とを有している。具体的には、操作部本体２６は、その上部に形成されたフランジ部２６ａと、その下部に形成された雄ネジ部２６ｂと、貫通孔２６ｃと、貫通孔２６ｃの下部に形成された拡径段部２６ｄとを有し、拡径段部２６ｄは、雌ネジ部２６ｅを有している。操作部本体２６は、雄ネジ部２６ｂに螺合するナット３０によって、洗面カウンタ４にパッキン及びワッシャ３１を介して固定されている。また、ロータリーエンコーダ３２がナット３２ａによってプレート３２ｂに固定されると共に、ロータリーエンコーダ３２が貫通孔２６ｃ内に位置するように、プレート３２ｂが、雌ネジ部２６ｅに螺合するナット３４によって拡径段部２６ｄに固定されている。操作ハンドル２８は、円形の上壁２８ａと、上壁２８ａの周囲から下方に延びる側壁２８ｂと、上壁２８ａの中心から下方に延びる軸部２８ｃとを有し、軸部２８ｃとロータリーエンコーダ３２の回転軸３２ｄとが連結されている。操作ハンドル２８と操作部本体２６との間に環状のパッキン３６が設けられることが好ましい。操作ハンドル２８及びロータリーエンコーダ３２は、時計回り及び反時計回りに無限に回転可能である。ロータリーエンコーダ３２は、回転方向を検知できる種類であることが好ましい。
【００２２】
図２に示すように、制御部２０は、可動操作部８、１０の操作ハンドル２８の回転方向位置をリアルタイムで検知する操作検知部４０と、検知された回転方向位置に応じて流量又は湯水混合割合の設定値を決定する設定値決定部４４とを有している。
【００２３】
詳細には、操作検知部４０は、ロータリーエンコーダ３２からのパルス信号に基づいて、可動操作部８、１０の操作ハンドル２８の回転方向位置を検知するように構成されている。また、操作検知部４０は、ロータリーエンコーダ３２からのパルス信号に基づいて、可動操作部８、１０操作ハンドル２８の移動方向が、流量又は温度を増大させる増大方向（時計回り）か、流量又は温度を減少させる減少方向（反時計回り）かを検知するように構成されている。
【００２４】
流量調整用の可動操作部８では、回転方向位置は、操作ハンドル２８を、流量調整バルブ１８から吐水される流量が零である止水位置から、流量を増大させるように回転させたときの、止水位置からの回転角度である。
【００２５】
温度調整用の可動操作部１０では、回転方向位置は、操作ハンドル２８を、給湯管から流入する湯の混合割合が零である給湯管閉鎖位置から、湯の混合割合を増大させるように移動又は回転させたときの、給湯管閉鎖位置からの回転角度である。また、操作検知部４０は、給湯管閉鎖位置からの回転角度に対応する設定吐水温度をリアルタイムで決定するのがよい。
【００２６】
給湯管閉鎖位置は、可動操作部１０の操作ハンドル２８の回転方向位置によって定められるのがよい。変形例として、可動操作部１０の操作ハンドル２８を回転させながら、水温センサ２３によって検知された水温と設定吐水温度とを比較し、水温と設定吐水温度とが等しくなったときの操作ハンドル２８の位置を、給湯管閉鎖位置として定めてもよい。また、給湯管１４ａに流量センサを設け、可動操作部１０の操作ハンドル２８を回転させて、給湯管１４ａに流れが発生したときの操作ハンドル２８の位置を、給湯管閉鎖位置として定めてもよい。このやり方は、サーモ水栓をモータで駆動する場合に好ましい。
【００２７】
設定値決定部４４は、操作検知部４０で検知された流量調整用の可動操作部８の操作ハンドル２８の回転方向位置（回転角度）と、設定値決定部４４において決定すべき吐水流量との間の関係をマップ等により記憶している。設定値決定部４４は、流量に関して、検知された回転角度が大きくなるに従って流量が増大するように、流量の調整設定値を決定する。
【００２８】
また、設定値決定部４４は、操作検知部４０で検知された温度調整用の可動操作部１０の操作ハンドル２８の回転方向位置（回転角度）と、設定値決定部４４において決定すべき湯水混合バルブ１６の混合割合設定値との関係をマップ等により記憶している。設定値決定部４４は、温度に関して、検知された回転角度が大きくなるに従って、給湯管１４ａから流入する湯の混合割合が増大するように調整設定値を決定する。
【００２９】
次に、制御部２０の動作を説明する。
【００３０】
吐水流量調整用の可動操作部８によって流量調整バルブ１８を操作する場合、可動操作部８の操作ハンドル２８を回転させることにより、ロータリーエンコーダ３２がパルスを発生させる。操作検知部４０は、パルスの個数及び位相から、操作ハンドル２８の回転方向位置（回転角度）と回転方向を検知する。次いで、設定値決定部４４は、回転方向位置に応じて、吐水流量の調整設定値を決定する。制御部２０は、調整設定値に対応して流量調整バルブ１８のモータ１８ａを駆動する。操作検知部４０は、ロータリーエンコーダ３２のパルスをリアルタイムで検知し、制御部２０は、上記動作を繰り返す。
【００３１】
吐水温度調整用の可動操作部１０によって湯水混合バルブ１６を操作する場合、可動操作部１０の操作ハンドル２８を回転させることにより、ロータリーエンコーダ３２がパルスを発生させる。操作検知部４０は、パルスの個数及び位相から、操作ハンドル２８の回転方向位置（回転角度）と回転方向を検知し、回転方向位置に対応する設定吐水温度を決定する。次いで、設定値決定部４４は、回転方向位置（設定吐水温度）に応じて、湯水混合バルブ１６の混合割合設定値を決定する。混合割合設定値を決定する際、温度センサ２２を用いたフィードバック制御が行われていることが好ましい。制御部２０は、混合割合設定値に対応して湯水混合バルブ１６のモータ１６ａを駆動する。操作検知部４０は、ロータリーエンコーダ３２のパルスをリアルタイムで検知し、制御部２０は、上記動作を繰り返す。
【００３２】
更に、可動操作部１０の操作ハンドル２８を給湯管閉鎖位置から、吐水温度を上昇させるために湯の混合割合を増大させるように回転させ、使用温度位置で停止させ、次いで、吐水温度を下降させるために湯の混合割合を減少させるように回転させた後、可動操作部１０の操作ハンドル２８が給湯管閉鎖位置に戻る手前の給湯管強制閉鎖位置に到達したとき、設定値決定部４４は、給湯管１４ａから流入する湯の混合割合が零になるように湯水混合バルブ１６の混合割合設定値を決定し、湯水混合バルブ１６から水だけを吐水させる。
【００３３】
それにより、可動操作部１０が給湯管閉鎖位置に到達していなくても、湯水混合バルブ１６の給湯管１４ａの閉鎖を確実に行うことができる。
【００３４】
更に、可動操作部１０の操作ハンドル２８が給湯管強制閉鎖位置に到達したときに、使用温度位置からの回転角度が予め決められた一定の角度よりも小さいとき、または、可動操作部１０の操作ハンドル２８が使用温度位置にあるときの設定吐水温度から給湯管強制閉鎖位置まで移動したときの設定吐水温度との差が予め決められた量よりも小さいとき、設定値決定部４４は、給湯管１４ａから流入する湯の混合割合が零になるように湯水混合バルブ１６の混合割合設定値を決定することを取りやめる。
【００３５】
この場合、使用者が水だけを吐水させることを望んでいないと推定し、給湯管からの湯の流入を停止させない。従って、使用者は、そのまま、吐水温度を調整することができる。
【００３６】
以下、図４及び図５を参照して、給湯管強制閉鎖位置の実施例を説明する。図４において、操作ハンドル２８の給湯管閉鎖位置をａ０、使用吐水温度ｔＬ、ｔＬ’における位置をａＬ、ａＬ’で表す。
【００３７】
図４（ａ）では、操作ハンドル２８が位置ａＬ、ａＬ’で停止したときの使用吐水温度ｔＬ、ｔＬ’の両方の場合において、給湯管強制閉鎖位置は、設定吐水温度ｔ１と水温センサ２３によって検知された水温ｔｗの差が予め決められた一定の値ΔＴ１になったときに対応する操作ハンドル２８の位置ａ１である。
【００３８】
図４（ｂ）では、操作ハンドル２８が位置ａＬで停止したときの使用吐水温度ｔＬの場合において、給湯管強制閉鎖位置は、位置ａＬに対応する設定吐水温度ｔＬから予め決められた一定の温度ΔＴ２を差し引いた温度ｔ２に対応する操作ハンドル２８の位置ａ２である。操作ハンドル２８が使用吐水温度ｔＬ’において停止したとき、ｔＬ’＜ΔＴ２なので、給湯管強制閉鎖位置は存在せず、操作ハンドル２８を吐水温度（水温）ｔｗに対応したａ０の位置まで回転させることにより、給湯管１４ａからの湯の流入割合が零となる。
【００３９】
図４（ｃ）では、操作ハンドル２８が位置ａＬ、ａＬ’で停止したときの使用吐水温度ｔＬ、ｔＬ’の両方の場合において、給湯管強制閉鎖位置は、使用吐水温度ｔＬ、ｔＬ’に対する予め決められた一定の割合（例えば、２０％）の温度ｔ３、ｔ３’に対応する操作ハンドル２８の位置ａ３、ａ３’である。図４（ｃ）の給湯管強制閉鎖位置を採用すれば、吐水温度ｔＬが大きいとき、図４（ａ）の給湯管強制閉鎖位置を採用する場合よりも早く給湯管１４ａを閉鎖することができる。
【００４０】
図５（ａ）では、操作ハンドル２８が使用吐水温度ｔＬ、ｔＬ’のところで停止したときの位置ａＬ、ａＬ’の両方の場合、給湯管強制閉鎖位置は、給湯管閉鎖位置ａ０から予め決められた一定の回転角度のところの位置ａ４である。
【００４１】
図５（ｂ）では、操作ハンドル２８が使用吐水温度ｔＬのところで停止したときの位置ａＬの場合、給湯管強制閉鎖位置は、位置ａＬから予め決められた一定の回転角度ΔＡを差し引いた位置ａ５である。操作ハンドル２８が使用吐水温度ｔＬ’のところで停止したときの位置ａＬ’の場合、ａＬ’−ａ０＜ΔＡなので、給湯管強制閉鎖位置は存在せず、操作ハンドル２８を吐水温度（水温）ｔｗに対応したａ０の位置まで回転させることにより、給湯管１４ａからの湯の流入割合が零となる。
【００４２】
図５（ｃ）では、操作ハンドル２８が使用吐水温度ｔＬ、ｔＬ’のところで停止したときの位置ａＬ、ａＬ’の両方の場合、給湯管強制閉鎖位置は、給湯管強制閉鎖位置ａ０から位置ａＬ、ａＬ’までの回転角度に対する予め決められた一定の割合（例えば、２０％）の角度だけ給湯管強制閉鎖位置ａ０から回転させた位置ａ６、ａ６’である。図５（ｃ）の給湯管強制閉鎖位置を採用すれば、吐水温度ｔＬが大きいとき、図５（ａ）の給湯管強制閉鎖位置を採用する場合よりも早く給湯管１４ａを閉鎖することができる。
【００４３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００４４】
上記実施形態では、操作検知部４０において回転方向位置（回転角度）を検知するために、ロータリーエンコーダ３２を使用したけれども、その他のセンサを使用してもよい。
【００４５】
また、上記実施形態では、回転する可動操作部８、１０を説明したけれども、直線的に又は曲線的に（例えば、ループをなして）移動する可動操作部であってもよい。
【図面の簡単な説明】
【００４６】
【図１】本発明による水栓装置の概略図である。
【図２】水栓装置の水栓機能部の概略図である。
【図３】水栓装置の可動操作部の断面図である。
【図４】給湯管強制閉鎖位置の実施例を示す図である。
【図５】給湯管強制閉鎖位置の実施例を示す図である。
【符号の説明】
【００４７】
１  水栓装置
１０  可動操作部
１４ａ  給湯管
１４ｂ  給水管
１８  湯水混合バルブ
１８ａ  モータ（駆動部）
２３  水温センサ
４０  操作検知部
４４  設定値決定部
【図１】
2010084325.tif 000003
【図２】
2010084325.tif 000004
【図３】
2010084325.tif 000005
【図４】
2010084325.tif 000006
【図５】
2010084325.tif 000007